(57)【要約】【課題】使用者の顔サイズにかかわらずマスク本体を顔の目周りに対して適度にフィットさせやすい構造の温熱具を提供する。【解決手段】温熱具１００は、両目を覆うマスク本体１０と、マスク本体１０に設けられた発熱体２０と、マスク本体１０の横幅方向における両端部に対して各々の一端部が固定されていて耳に掛けられる一対の耳掛け部３０と、を備える温熱具１００であって、当該温熱具１００の上縁から内向きに延びている易破断部（例えば、ミシン目４１）を備えている。【選択図】図１
2018108197.tif 000002
【特許請求の範囲】
【請求項１】
両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
当該温熱具の上縁から内向きに延びている易破断部を備えている温熱具。
【請求項２】
前記易破断部は、前記マスク本体に対する前記耳掛け部の固定部の近傍に配置されている請求項１に記載の温熱具。
【請求項３】
前記易破断部は、前記耳掛け部に形成されている請求項２に記載の温熱具。
【請求項４】
前記易破断部は、前記マスク本体に形成されている請求項２又は３に記載の温熱具。
【請求項５】
前記易破断部は、前記マスク本体と前記耳掛け部との固定部に配置されている請求項２から４のいずれか一項に記載の温熱具。
【請求項６】
前記易破断部は、前記マスク本体の横幅方向における中央部に配置されている請求項１から５のいずれか一項に記載の温熱具。
【請求項７】
前記一対の耳掛け部の各々は、当該耳掛け部を耳に掛けるための耳掛け用開口を有し、
前記耳掛け用開口は、前記耳掛け部の横幅方向において、前記マスク本体に対する前記耳掛け部の固定部から遠ざかる方向に下り傾斜している請求項１から６のいずれか一項に記載の温熱具。
【請求項８】
前記マスク本体に対する前記耳掛け部の固定部は、前記マスク本体の上下方向における中央位置よりも下方にずれて配置されている請求項１から７のいずれか一項に記載の温熱具。
【請求項９】
前記マスク本体に対する前記一対の耳掛け部の固定部は、それぞれ上下に延在しているとともに、互いに平行に延在している請求項１から８のいずれか一項に記載の温熱具。
【発明の詳細な説明】
【技術分野】
【０００１】
本発明は、温熱具に関する。
【背景技術】
【０００２】
温熱具として、着用時に両目を覆うマスク本体と、マスク本体に設けられた発熱体と、マスク本体の横幅方向における両端部に設けられた一対の耳掛け部と、を備えるタイプのものがある（例えば特許文献１）。
この種の温熱具は、一対の耳掛け部を使用者の左右の耳のそれぞれに引っ掛けることによって着用することでき、当該温熱具の着用時には発熱体によって使用者の目周りを温めることができる。
【先行技術文献】
【特許文献】
【０００３】
【特許文献１】特開２００８−２９５７７９号公報
【発明の概要】
【発明が解決しようとする課題】
【０００４】
ところで、上述のような温熱具は、使用者の顔サイズにかかわらずマスク本体が顔の目周りに対して適度にフィットすることが好ましい。
しかしながら、本発明者等の検討によれば、特許文献１等の温熱具では、そのような要求に関し、なお改善の余地がある。
【０００５】
本発明は、上記の課題に鑑みてなされたものであり、使用者の顔サイズにかかわらずマスク本体を顔の目周りに対して適度にフィットさせやすい構造の温熱具に関する。
【課題を解決するための手段】
【０００６】
本発明は、両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
当該温熱具の上縁から内向きに延びている易破断部を備えている温熱具を提供する。
【発明の効果】
【０００７】
本発明によれば、使用者の顔サイズにかかわらずマスク本体を顔の目周りに対して適度にフィットさせやすくなる。
【図面の簡単な説明】
【０００８】
【図１】第１実施形態に係る温熱具の平面図であり、耳掛け部を展開した状態を示す。
【図２】第１実施形態に係る温熱具の裏面図であり、耳掛け部を展開した状態を示す。
【図３】第１実施形態に係る温熱具の平面図であり、耳掛け部を展開する前の折り畳み状態を示す。
【図４】第１実施形態に係る温熱具の断面図である。
【図５】第１実施形態に係る温熱具の使用状態の例を示す側面図である。
【図６】第１実施形態の変形例１に係る温熱具の平面図であり、耳掛け部を展開した状態を示す。
【図７】第１実施形態の変形例２に係る温熱具の平面図であり、耳掛け部を展開した状態を示す。
【図８】第１実施形態の変形例３に係る温熱具の平面図であり、耳掛け部を展開した状態を示す。
【図９】第１実施形態の変形例４に係る温熱具の平面図であり、耳掛け部を展開した状態を示す。
【図１０】第１実施形態の変形例５に係る温熱具の平面図であり、耳掛け部を展開した状態を示す。
【図１１】第１実施形態の変形例６に係る温熱具の平面図であり、耳掛け部を展開した状態を示す。
【図１２】第２実施形態に係る温熱具の平面図であり、耳掛け部を展開した状態を示す。
【図１３】第３実施形態に係る温熱具の平面図であり、耳掛け部を展開した状態を示す。
【図１４】第４実施形態に係る温熱具の平面図であり、耳掛け部を展開した状態を示す。
【発明を実施するための形態】
【０００９】
以下、本発明の実施形態について、図面を用いて説明する。なお、すべての図面において、同様の構成要素には同一の符号を付し、重複する説明は適宜に省略する。
【００１０】
〔第１実施形態〕
先ず、図１から図５を用いて第１実施形態を説明する。
なお、図４に示す断面の位置は、図３に示すＡ−Ａ線の位置に相当する。ただし、図４では図３とは異なり、一対の耳掛け部３０がマスク本体１０から離間している。
【００１１】
本実施形態に係る温熱具１００は、両目を覆うマスク本体１０と、マスク本体１０に設けられた発熱体２０と、マスク本体１０の横幅方向における両端部に対して各々の一端部が固定されていて耳に掛けられる一対の耳掛け部３０と、を備える温熱具１００である。温熱具１００は、当該温熱具１００の上縁から内向きに延びている易破断部（例えば、ミシン目４１）を備えている。
【００１２】
ここで、内向きとは、図１に示すように一対の耳掛け部３０を展開して温熱具１００の全体を平坦にした状態において、温熱具１００の上縁から当該温熱具１００の内に向かう方向である。典型的には、図１に示すように、易破断部（ミシン目４１）は、温熱具１００の上縁から下に延びている。易破断部が温熱具１００の上縁から下に延びている場合、易破断部は、上下方向の成分を持つ方向に延在していればよい。したがって、易破断部の延在方向は、上下方向であってもよいし、上下方向に対して傾斜していてもよい。
ただし、本発明は、この例に限らず、易破断部は、温熱具１００の上縁から真横に延びていてもよい。
【００１３】
易破断部に沿って温熱具１００を破断することによって、温熱具１００に切れ込み部を形成することができ、これにより、温熱具１００の上部を横幅方向に伸展しやすくすることができるようになっている。また、易破断部を破断する長さは任意に調節できるため、破断する長さを適宜に調節することによって、温熱具１００の上部の伸展性を調節することができる。
【００１４】
マスク本体１０は、例えば、左目を覆う左目覆い部１０ａと、右目を覆う右目覆い部１０ｂと、を有している。左目覆い部１０ａ及び右目覆い部１０ｂの平面形状は特に限定されないが、例えば、それぞれ角丸の略正方形状に形成されている。また、左目覆い部１０ａと右目覆い部１０ｂとは、互いにほぼ同一の形状及び寸法に形成されている。左目覆い部１０ａと右目覆い部１０ｂとは、図１及び図２において、左右に並んで配置されている。
【００１５】
ここで、本明細書において、横幅方向とは、図１及び図２に示すようにマスク本体１０を平坦にした状態において、左目覆い部１０ａと右目覆い部１０ｂとの並び方向に一致する方向である。
また、横幅方向は、一対の耳掛け部３０を展開して温熱具１００の全体を平坦にした状態において、一方の耳掛け部３０から他方の耳掛け部３０に向かう方向とも一致している。
すなわち、横幅方向は、図１及び図２における左右方向である。
【００１６】
また、本明細書において、上（上側）とは、直立した使用者が温熱具１００を着用した状態で上（上側）となる方向を意味し、下（下側）とは、直立した使用者が温熱具１００を着用した状態で下（下側）となる方向を意味する。上及び下は、図１及び図２における上及び下である。
【００１７】
マスク本体１０は、横長の形状に形成されている。
マスク本体１０は、可撓性の（柔軟な）シート材により構成されている。
マスク本体１０は、伸展性を有することが好ましく、伸縮性を有することが更に好ましい。
特に、マスク本体１０は、横幅方向に伸展性を有することが好ましく、横幅方向に伸縮性を有することが更に好ましい。
【００１８】
より詳細には、マスク本体１０は、温熱具１００の着用時に顔側に位置する第１シート１１と、着用時に顔とは反対側に位置する第２シート１２と、を備えて構成されている。第１シート１１及び第２シート１２の各々は、単層のシートにより構成されていてもよいし、複数のシートの積層体であってもよい。
マスク本体１０を構成するシート材（第１シート１１、第２シート１２）の材料としては、例えば、不織布、織布、その他の編み物、ポリエチレンやウレタン等の樹脂フィルム、多孔質体、それらの任意の２種以上の組み合わせ等が挙げられる。
【００１９】
第１シート１１と第２シート１２とは、互いに同一の平面形状及び寸法に形成されているとともに、相互に重ね合わされ、且つ、接合部１３において相互に接合されている。第１シート１１と第２シート１２とは、粘着又は接着により接合されていてもよいし、ヒートシールにより接合されていてもよい。
接合部１３は、例えば、マスク本体１０の（第１シート１１及び第２シート１２の）周縁部の全周と、マスク本体１０の横幅方向における中央部の上端から下端に亘る範囲と、に配置されている。すなわち、接合部１３は、左目覆い部１０ａの周縁部と、右目覆い部１０ｂの周縁部と、に配置されている。
【００２０】
左目覆い部１０ａにおいて周縁部を除く領域、すなわち、左目覆い部１０ａの中央部においては、第１シート１１と第２シート１２とが相互に非接合となっており、当該領域において、第１シート１１と第２シート１２との間隙は、発熱体２０を収容する収容空間１８を構成している。
右目覆い部１０ｂにおいて周縁部を除く領域、すなわち、右目覆い部１０ｂの中央部においては、第１シート１１と第２シート１２とが相互に非接合となっており、当該領域において、第１シート１１と第２シート１２との間隙は、発熱体２０を収容する収容空間１８を構成している。
すなわち、温熱具１００は、左右一対の発熱体２０を備えており、一方の発熱体２０は左目覆い部１０ａの収容空間１８に、他方の発熱体２０は右目覆い部１０ｂの収容空間１８に、それぞれ収容されている。よって、左右の発熱体２０は、マスク本体１０の内部に保持されている。
【００２１】
マスク本体１０の横幅方向における中央部の上縁部には、マスク本体１０の上縁から下方に延びる上側スリット１４が形成されている。マスク本体１０の横幅方向における中央部の下縁部には、マスク本体１０の下縁から上方に延びる下側スリット１５が形成されている。
例えば、上側スリット１４の長さ寸法（上下寸法）よりも下側スリット１５の長さ寸法（上下寸法）の方が大きい。すなわち、上側スリット１４よりも下側スリット１５の方が深い。
上側スリット１４及び下側スリット１５は、左目覆い部１０ａと右目覆い部１０ｂとの境界位置に配置されている。
【００２２】
発熱体２０は、例えば図４に示すように、第１被覆シート２１と、第２被覆シート２２と、第１被覆シート２１と第２被覆シート２２との間に保持されているシート状の発熱部２３と、を備えて構成されている。
発熱体２０の平面形状は、特に限定されないが、例えば、角丸の略正方形状に形成されている。
【００２３】
第１被覆シート２１と第２被覆シート２２とは、互いに同一の形状及び寸法に形成されている。第１被覆シート２１と第２被覆シート２２とは、それらの外形線が一致するように互いに重ね合わされており、且つ、それらの周縁部どうしが相互に接合されている。これにより、第１被覆シート２１と第２被覆シート２２とによって、発熱部２３を内部に収容する収容体が構成されている。第１被覆シート２１と第２被覆シート２２との接合は、粘着又は接着によりなされていてもよいし、ヒートシールによりなされていてもよい。
第１被覆シート２１及び第２被覆シート２２の平面形状は、例えば、それぞれ角丸の略正方形状に形成されている。
第１被覆シート２１と第２被覆シート２２とのうち、第１被覆シート２１は、第１シート１１側、すなわち温熱具１００の着用時に顔側となる方に配置されており、第２被覆シート２２は、第２シート１２側、すなわち着用時に顔側とは反対側となる方に配置されている。
【００２４】
発熱部２３は、被酸化性金属を含んで構成されており、この被酸化性金属が酸素と接触することによる酸化反応で生じた熱を利用して、加熱された水蒸気を発生する部位である。発熱部２３は、被酸化性金属、反応促進剤、電解質及び水を含んでいる。
発熱部２３の平面形状は、例えば、略正方形状に形成されている。発熱部２３は、第１被覆シート２１と第２被覆シート２２とにより構成される収容体の内部、すなわち第１被覆シート２１と第２被覆シート２２との間隙に保持されている。
【００２５】
発熱体２０は、図１及び図４に示す接合部２４において、マスク本体１０に対して接合されている。接合部２４は、発熱体２０の横幅方向における一部の領域に配置されている。なお、図１においては、平面視において接合部２４が存在する領域にハッチングを付している。
ここで、発熱体２０の剛性は、マスク本体１０の剛性に比して大きく、発熱体２０はマスク本体１０と比べて伸びにくいが、接合部２４は発熱体２０の横幅方向における一部の領域に配置されている。このため、マスク本体１０の伸縮が発熱体２０によって拘束される範囲を制限でき、発熱体２０における接合部２４以外の部位は、マスク本体１０に対して相対的に移動可能となる。よって、マスク本体１０が伸展性又は伸縮性を有する場合、マスク本体１０において接合部２４以外の部位は、容易に伸展又は伸縮できるようになっている。
【００２６】
より詳細には、接合部２４は、例えば、各発熱体２０において、マスク本体１０の幅方向における中心側の端縁に配置されている。
更に詳細には、例えば、発熱体２０の第２被覆シート２２の外面のうち、マスク本体１０の幅方向における中心側の端縁が、当該端縁の上端から下端に亘って、第２シート１２の内面に対して接合部２４において接合している。
【００２７】
ただし、本発明において、接合部２４は発熱体２０の全面に亘って配置されていても良い。
また、発熱体２０は、第２シート１２の内面ではなく第１シート１１の内面に対して接合部２４において接合していても良いし、第１シート１１の内面と第２シート１２の内面との双方に対して接合部２４において接合していても良い。
また、第１シート１１の内面は、全面に亘って、発熱体２０又は第２シート１２に対して接合部２４又は接合部１３において接合していてもよい。
同様に、第２シート１２の内面は、全面に亘って、発熱体２０又は第１シート１１に対して接合部２４又は接合部１３において接合していてもよい。
つまり、発熱体２０の片面又は両面が、全面に亘って、第１シート１又は第２シート１２に対して接合されていても良い。
【００２８】
ここで、第１被覆シート２１と第２被覆シート２２とのうちの少なくとも一方は通気性を有する材料により構成されている。本実施形態の場合、第１被覆シート２１は第２被覆シート２２と比べてより通気性が高い。なお、第２被覆シート２２は通気性を有していてもよいし、通気性を実質的に有していなくてもよい。
また、第１被覆シート２１は透湿性シートである。一方、第２被覆シート２２は、透湿性シートであるか、又は非透湿性シートである。第２被覆シート２２が透湿性シートである場合、該第２被覆シート２２の通気性は、第１被覆シート２１の通気性と同じか、第１被覆シート２１の通気性よりも低くなっているか、第１被覆シート２１の通気性よりも高くなっている。
【００２９】
また、第１シート１１は通気性及び透湿性を有する材料により構成されている。第２シート１２は、通気性を有していなくてもよいし、通気性を実質的に有していなくてもよい。また、第２シート１２は透湿性を有していてもよいし、透湿性を実質的に有していなくてもよい。
【００３０】
一対の耳掛け部３０の各々は、可撓性の（柔軟な）シート材である耳掛け部構成シート３１により構成されている。
耳掛け部３０は、横幅方向に伸展性を有しており、横幅方向に伸縮性を有することが更に好ましい。
耳掛け部構成シート３１は、単層のシートにより構成されていてもよいし、複数のシートの積層体であってもよい。
耳掛け部構成シート３１としては、不織布等の繊維材料からなる繊維シートを用いることができる。
【００３１】
一対の耳掛け部３０の各々の一端部が、固定部３３においてマスク本体１０の横幅方向における両端部に対して固定されている。すなわち、一方の耳掛け部３０の一端部が、固定部３３において左目覆い部１０ａの一端部に対して固定されている。同様に、他方の耳掛け部３０の一端部が、固定部３３において右目覆い部１０ｂの一端部に対して固定されている。
より詳細には、例えば、図４に示すように、耳掛け部３０は、第１シート１１において顔側となる面に対して固定部３３にて接合により固定されている。
マスク本体１０に対する耳掛け部３０の固定は、ヒートシールによってなされていてもよいし、粘着又は接着によりなされていてもよい。
【００３２】
固定部３３の平面形状は特に限定されないが、例えば、固定部３３は、上下に長尺に形成されている（上下に延在している）。
本実施形態の場合、図１に示すようにマスク本体１０を平坦にした状態で、一方の固定部３３の長手軸Ｘ１と他方の固定部３３の長手軸Ｘ２とが互いに平行に延在するようになっている。
すなわち、マスク本体１０に対する一対の耳掛け部３０の固定部３３は、それぞれ上下に延在しているとともに、互いに平行に延在している。
【００３３】
なお、以下の説明では、耳掛け部３０において、マスク本体１０側（左目覆い部１０ａ側又は右目覆い部１０ｂ側）を基端（基端側）、マスク本体１０から遠い側を先端（先端側）と称する場合がある。つまり、耳掛け部３０における基端側の部位がマスク本体１０に対して固定部３３にて固定されている。
【００３４】
耳掛け部３０の平面形状は特に限定されないが、例えば、左目覆い部１０ａ及び右目覆い部１０ｂと同様の形状に形成されている。
例えば、図３に示すように温熱具１００が折り畳まれた状態（展開される前の状態）において、左目覆い部１０ａ及び右目覆い部１０ｂのそれぞれに対して、一方ずつの耳掛け部３０が重なる。この状態では、左目覆い部１０ａの外形線と、当該左目覆い部１０ａに重なっている耳掛け部３０の外形線と、が平面視において相互に一致し、且つ、右目覆い部１０ｂの外形線と、当該右目覆い部１０ｂに重なっている耳掛け部３０の外形線と、が平面視において相互に一致するようになっている。
【００３５】
また、図３の状態では、例えば、一対の耳掛け部３０の先端どうしが繋がっている。一対の耳掛け部３０の先端には、上下に延在する分離可能部３６が形成されている。耳掛け部３０を構成する耳掛け部構成シート３１を分離可能部３６に沿って容易に破断し、一対の耳掛け部３０どうしを分離させることができるようになっている。
この分離可能部３６は、例えば、耳掛け部３０を構成する耳掛け部構成シート３１に形成されたハーフカット溝又はミシン目により構成されている。
【００３６】
一対の耳掛け部３０の各々は、当該耳掛け部３０を耳に掛けるための耳掛け用開口３２を有している。
本実施形態の場合、耳掛け用開口３２は、耳掛け部３０の表裏を貫通している貫通孔である。ただし、本発明は、この例に限らず、耳掛け用開口３２は、耳掛け部３０に形成されたスリットであってもよい。
耳掛け用開口３２の形状は特に限定されないが、例えば、耳掛け用開口３２は横幅方向に長尺に形成されている。また、耳掛け用開口３２の上下幅寸法は、耳掛け部３０の先端側に向けて広がっている。
耳掛け用開口３２は、例えば、上下方向において耳掛け部３０の中央部に配置されている。
本実施形態の場合、図１に示すように一対の耳掛け部３０を展開して温熱具１００の全体を平坦にした状態において、一方の耳掛け用開口３２の長手軸Ｘ３と、他方の耳掛け用開口３２の長手軸Ｘ４は、それぞれ横幅方向に延在し、長手軸Ｘ３と長手軸Ｘ４とは互いに同一直線上に位置するようになっている。
【００３７】
一対の耳掛け部３０の各々は、耳掛け用開口３２と連続する第１耳掛け用スリット３４及び第２耳掛け用スリット３５を有している。
このうち第１耳掛け用スリット３４は、耳掛け用開口３２の下縁から下方に延びている。
第２耳掛け用スリット３５は、耳掛け用開口３２の先端縁から先端側に延びている。
例えば、第２耳掛け用スリット３５よりも第１耳掛け用スリット３４の方が長い。
【００３８】
図１及び図２に示すように、易破断部（例えばミシン目４１）は、マスク本体１０に対する耳掛け部３０の固定部３３の近傍に配置されている。
【００３９】
ここで、左目覆い部１０ａと耳掛け部３０との固定部３３の近傍は、左目覆い部１０ａの横幅方向における中心位置よりも当該固定部３３に近い領域、又は、左目覆い部１０ａに固定された耳掛け部３０の横幅方向における中心位置よりも当該固定部３３に近い領域とすることができる。
同様に、右目覆い部１０ｂと耳掛け部３０との固定部３３の近傍は、右目覆い部１０ｂの横幅方向における中心位置よりも当該固定部３３に近い領域、又は、右目覆い部１０ｂに固定された耳掛け部３０の横幅方向における中心位置よりも当該固定部３３に近い領域とすることができる。
【００４０】
本実施形態の場合、易破断部（ミシン目４１）は、耳掛け部３０に形成されている。
すなわち、ミシン目４１は、耳掛け部３０における固定部３３の近傍の部位において、当該耳掛け部３０の上縁から内向きに延びている。
ミシン目４１の下端の位置は、特に限定されないが、耳掛け部３０の下縁よりも上方位置であることが好ましい。つまり、耳掛け部３０をミシン目４１に沿って当該耳掛け部３０の上縁からミシン目４１の終端まで破断しても、耳掛け部３０が分断されないようになっていることが好ましい。
なお、ミシン目４１は、耳掛け用開口３２から離間しており、該耳掛け用開口３２には繋がっていない。これにより、耳掛け部３０をミシン目４１の終端まで破断しても、ミシン目４１と耳掛け用開口３２とが繋がらないようになっている。
ミシン目４１の下端の高さ位置（上下方向における位置）は、図１に示すように耳掛け用開口３２よりも上方であっても良いし、耳掛け用開口３２よりも下方であってもよいし、耳掛け用開口３２の上端と下端との間であってもよい。
【００４１】
使用者が耳掛け部３０においてミシン目４１を間に挟む両側の部分を左右の手でそれぞれ摘まんで耳掛け部３０を引き裂くことにより、耳掛け部３０をミシン目４１に沿って容易に破断できるようになっている。
【００４２】
なお、温熱具１００は、使用前の状態では、軟質包装材により構成された包装袋（不図示）に封入されている。使用時に包装袋から温熱具１００が取り出されることによって、発熱体２０の発熱部２３が空気中の酸素と接触し、該発熱部２３が発熱するとともに水蒸気（蒸気温熱）を発生し、この水蒸気が第１被覆シート２１及び第１シート１１を介して外部に放出されるようになっている。
よって、使用者が温熱具１００を着用することによって、この水蒸気が使用者の顔面に供給されるようになっている。これにより、蒸しタオルで使用者の顔面を温めるような具合になる。
このように、本実施形態に係る温熱具１００は、蒸気温熱具である。
【００４３】
図５に示すように、温熱具１００の使用時には、マスク本体１０の第１シート１１を顔側にして、左目覆い部１０ａ及び右目覆い部１０ｂをそれぞれ左右の目５２の周りにあてがい、一対の耳掛け部３０をそれぞれ左右の耳５４に引っ掛ける。
この際、予め、耳掛け部３０をミシン目４１に沿って使用者の顔サイズに応じた適切な長さだけ破断しておくことにより、図５に示すようにミシン目４１だった箇所が切欠形状となって耳掛け部３０が容易に伸展できる。これにより、マスク本体１０が顔５１の目周りに対して適度にフィットするようにできる。ここで、目周りとは、左右の目５２及びその周囲近傍の領域である。
また、温熱具１００を一旦着用した後、温熱具１００がきついと使用者が感じた場合には、耳掛け部３０をミシン目４１に沿ってより深く破断することによって、マスク本体１０が顔５１の目周りに対して適度にフィットするようにできる。
なお、使用者の顔サイズが小さい場合は、ミシン目４１を破断しなくてもよいのは勿論である。また、左右の耳掛け部３０についてミシン目４１を均等に破断してもよいし、フィット性の調節のため、左右のミシン目４１の破断長を異ならせてもよい。
【００４４】
また、ミシン目４１は固定部３３の近傍に配置されているので、固定部３３の近傍において耳掛け部３０が容易に変形できる。よって、マスク本体１０の横幅方向に延びる軸線Ｘ５を略水平に維持しつつ、一方の耳掛け用開口３２の長手軸Ｘ３が耳掛け部３０の先端に向けて下り傾斜するようにできる。また、図５には示されないが、他方の耳掛け用開口３２の長手軸Ｘ４（図１参照）についても、耳掛け部３０の先端に向けて下り傾斜するようにできる。
これにより、顔５１の目周りに対するマスク本体１０の良好なフィット性と、耳掛け部３０から耳５４に作用する負荷の軽減と、を両立させることができる。
【００４５】
なお、耳掛け用開口３２の周囲には第１耳掛け用スリット３４及び第２耳掛け用スリット３５（図１等参照）が形成されているため、耳掛け部３０が線ではなく面で耳５４に当たるようにできる。よって、耳５４に対する耳掛け部３０の触感がよりソフトになる。
また、マスク本体１０の横幅方向の中央部の上縁部と下縁部にはそれぞれ上側スリット１４及び下側スリット１５が形成されているので、顔５１の形状に沿って温熱具１００が変形しやすく、温熱具１００のフィット感が向上する。特に、下側スリット１５が形成されていることにより、マスク本体１０と鼻５３との干渉を抑制することができる。
【００４６】
以上のような第１実施形態に係る温熱具１００によれば、温熱具１００の上縁から内向きに延びている易破断部（例えばミシン目４１）を備えているので、使用者の顔サイズにかかわらずマスク本体１０を顔の目周りに対して適度にフィットさせやすくなる。
【００４７】
また、易破断部としてのミシン目４１が固定部３３の近傍に配置されているので、図５に示すように、軸線Ｘ５を略水平にしつつ、耳掛け用開口３２の長手軸Ｘ３、Ｘ４を軸線Ｘ５に対して傾斜させることが容易となる。
【００４８】
ここで、マスク本体１０と耳掛け部３０とが相互にヒートシールにより接合しにくい材料により構成されている場合、例えば、マスク本体１０に粘着剤又は接着剤を塗布してマスク本体１０と耳掛け部３０とを固定部３３にて相互に接合することができる。この場合、本実施形態のように、一対の固定部３３が互いに平行に延在している方が、マスク本体１０に対する粘着剤又は接着剤の塗布が容易になる。
一方、固定部３３が互いに平行になっていると、図５に示したような軸線Ｘ５に対する長手軸Ｘ３の傾斜角度、並びに、軸線Ｘ５に対する長手軸Ｘ４の傾斜角度が、生じにくくなる。これに対し、本実施形態に係る温熱具１００は、温熱具１００の上縁から内向きに延びている易破断部（例えばミシン目４１）を備えている。よって、易破断部を破断することにより、一対の固定部３３が互いに平行に延在している場合であっても、図５に示したような軸線Ｘ５に対する長手軸Ｘ３の傾斜角度、並びに、軸線Ｘ５に対する長手軸Ｘ４の傾斜角度を容易に生じさせることができる。すなわち、温熱具１００の製造容易性と、マスク本体１０のフィット感の確保ないしは向上と、を両立させることができる。
【００４９】
＜第１実施形態の変形例１＞
次に、図６を用いて第１実施形態の変形例１を説明する。
本変形例に係る温熱具１００は、以下に説明する点で、上記の第１実施形態に係る温熱具１００と相違しており、その他の点では第１実施形態に係る温熱具１００と同様に構成されている。
【００５０】
本変形例の場合、温熱具１００は、耳掛け部３０の下縁から上に延びる第２易破断部として第２ミシン目４２を有している。第２ミシン目４２は、固定部３３の近傍に配置されている。より詳細には、第２ミシン目４２は、ミシン目４１の延長上に配置されている。
第２ミシン目４２の長さ寸法は特に限定されないが、ミシン目４１よりも短いことが好ましい。
【００５１】
本変形例の場合、例えば、ミシン目４１の破断長が第２ミシン目４２の破断長よりも長くなるようにミシン目４１及び第２ミシン目４２をそれぞれ破断して（第２ミシン目４２を破断しない場合も含む）、温熱具１００を着用することができる。
【００５２】
本変形例によれば、上記の第１実施形態と同様の効果が得られる他、必要に応じて耳掛け部３０の下縁部の第２ミシン目４２を破断することによって、上縁部だけでなく、下縁部も伸展性を調整出来るので、より適切にマスク本体１０を目周りにフィットさせることが可能となる。
【００５３】
＜第１実施形態の変形例２＞
次に、図７を用いて第１実施形態の変形例２を説明する。
本変形例に係る温熱具１００は、以下に説明する点で、上記の第１実施形態に係る温熱具１００と相違しており、その他の点では第１実施形態に係る温熱具１００と同様に構成されている。
【００５４】
図７に示すように、本変形例の場合、一対の耳掛け部３０を展開して温熱具１００の全体を平坦にした状態において、耳掛け用開口３２の長手軸Ｘ３、Ｘ４が、それぞれ耳掛け部３０の先端側に向けて下り傾斜している。
すなわち、耳掛け用開口３２は、耳掛け部３０の横幅方向において、マスク本体１０に対する耳掛け部３０の固定部３３から遠ざかる方向に下り傾斜している。
これにより、耳掛け部３０を耳に掛けやすくなっているとともに、マスク本体１０が顔にフィットしやすくなっている。
【００５５】
＜第１実施形態の変形例３＞
次に、図８を用いて第１実施形態の変形例３を説明する。
本変形例に係る温熱具１００は、以下に説明する点で、上記の第１実施形態の変形例２に係る温熱具１００と相違しており、その他の点では第１実施形態の変形例２に係る温熱具１００と同様に構成されている。
【００５６】
図８に示すように、本変形例の場合、易破断部（ミシン目４１）は、マスク本体１０と耳掛け部３０との固定部３３に配置されている。
【００５７】
本変形例の場合、易破断部（ミシン目４１）がマスク本体１０と耳掛け部３０との境界に位置しているため、耳掛け部３０を展開した状態で、ミシン目４１を破断するために耳掛け部３０をマスク本体１０から離間する方向に引っ張った際に、ミシン目４１に応力が集中しやすいので、ミシン目４１の破断を容易に行うことができる。
また、ミシン目４１の加工性の観点においても、マスク本体１０や耳掛け部３０に追加で加工を施す必要がなく、耳掛け部３０をマスク本体１０に対して接合する際のパターンの変更のみで対応が可能であるため、加工性が良好となる。
【００５８】
＜第１実施形態の変形例４＞
次に、図９を用いて第１実施形態の変形例４を説明する。
本変形例に係る温熱具１００は、以下に説明する点で、上記の第１実施形態の変形例２に係る温熱具１００と相違しており、その他の点では第１実施形態の変形例２に係る温熱具１００と同様に構成されている。
【００５９】
図９に示すように、本変形例の場合、易破断部（ミシン目４１）は、耳掛け部３０の上縁から真横に延びている。すなわち、易破断部は、温熱具１００の上縁から真横に延びている。
【００６０】
本変形例の場合、ミシン目４１を破断することにより、耳掛け部３０を横幅方向に引き伸ばすのに要する力が小さくなり、特に、耳掛け部３０の上部を横幅方向に引き伸ばすのに要する力が小さくなる。よって、本変形例においても、ミシン目４１を破断する長さを適宜に調節することによって、温熱具１００の上部の伸展性を調節することができる。
【００６１】
＜第１実施形態の変形例５＞
次に、図１０を用いて第１実施形態の変形例５を説明する。
本変形例に係る温熱具１００は、以下に説明する点で、上記の第１実施形態に係る温熱具１００と相違しており、その他の点では第１実施形態に係る温熱具１００と同様に構成されている。
【００６２】
図１０に示すように、本変形例の場合、マスク本体１０を平坦にした状態において、固定部３３の上下方向における中央位置Ｐ２が、マスク本体１０の上下方向における中央位置Ｐ１よりも下方に位置している。
すなわち、マスク本体１０に対する耳掛け部３０の固定部３３は、マスク本体１０の上下方向における中央位置Ｐ１よりも下方にずれて配置されている。
これにより、耳掛け部３０を耳に掛けやすくなっているとともに、マスク本体１０が顔にフィットしやすくなっている。
【００６３】
＜第１実施形態の変形例６＞
次に、図１１を用いて第１実施形態の変形例６を説明する。
本変形例に係る温熱具１００は、以下に説明する点で、上記の第１実施形態に係る温熱具１００と相違しており、その他の点では第１実施形態に係る温熱具１００と同様に構成されている。
【００６４】
図１１に示すように、本変形例の場合、マスク本体１０を平坦にした状態において、各固定部３３の長手軸Ｘ１、Ｘ２は、上方に向けて互いに遠ざかっている（下方に向けて互いに近づいている）。そして、各耳掛け部３０は、先端側に向けて下り傾斜している。
これにより、耳掛け部３０を耳に掛けやすくなっているとともに、マスク本体１０が顔にフィットしやすくなっている。
【００６５】
〔第２実施形態〕
次に、図１２を用いて第２実施形態を説明する。
本実施形態に係る温熱具１００は、以下に説明する点で、上記の第１実施形態に係る温熱具１００と相違しており、その他の点では第１実施形態に係る温熱具１００と同様に構成されている。
【００６６】
本実施形態の場合、温熱具１００は、マスク本体１０における固定部３３の近傍の部分に形成されたミシン目４３を有している。ミシン目４３は、マスク本体１０の上縁から下方に延びている。
すなわち、易破断部（ミシン目４３）は、マスク本体１０に形成されている。
【００６７】
より詳細には、左目覆い部１０ａにおける固定部３３の近傍の部分と、右目覆い部１０ｂにおける固定部３３の近傍の部分と、にそれぞれミシン目４３が形成されている。
左右のミシン目４３は、第１シート１１と第２シート１２との双方に形成されている。第１シート１１のミシン目４３と第２シート１２のミシン目４３とは、平面視において互いに重なっている。
このため、使用者がマスク本体１０においてミシン目４３を間に挟む両側の部分を左右の手でそれぞれ摘まんでマスク本体１０を引き裂くことにより、マスク本体１０を（つまり第１シート１１及び第２シート１２を）をミシン目４３に沿って容易に破断できるようになっている。
【００６８】
ミシン目４３の下端の位置は、特に限定されないが、マスク本体１０の下縁よりも上方位置であることが好ましい。つまり、マスク本体１０をミシン目４３に沿って当該マスク本体１０の上縁からミシン目４３の終端まで破断しても、マスク本体１０が分断されないようになっていることが好ましい。
一例として、ミシン目４３の終端の高さ位置（上下方向における位置）は、図１２に示すように、上下方向におけるマスク本体１０の中央位置よりも上方となっている。これにより、マスク本体１０をミシン目４３の終端まで破断しても、マスク本体１０の十分な保形性を確保しやすくなる。
【００６９】
ミシン目４３は、接合部２４の配置領域を避けて配置されている。これにより、ミシン目４３を破断したときに発熱体２０が露出したり、マスク本体１０に対する発熱体２０の接合強度が低下してしまったりすることを回避できる。
より好ましくは、ミシン目４３は、発熱体２０の配置領域を避けて配置されている。これにより、ミシン目４３を破断したときに発熱体２０が露出してしまうことを回避できる。
更に好ましくは、ミシン目４３は、収容空間を避けて配置されている。これにより、ミシン目４３を破断するか否かやミシン目４３の破断長に応じて発熱体２０への酸素の供給量が変化することを抑制できる。よって、ミシン目４３の破断の有無や破断長にかかわらず、発熱体２０を安定的に発熱させることができる。
【００７０】
なお、本実施形態の場合、温熱具１００は、第１実施形態で説明したミシン目４１を有していてもよいし、ミシン目４１は有していなくてもよい。
【００７１】
本実施形態の場合、温熱具１００の使用前にマスク本体１０をミシン目４３に沿って使用者の顔サイズに応じた適切な長さだけ破断しておいたり、温熱具１００を着用したときに温熱具１００がきついと使用者が感じた場合に、ミシン目４３を破断したりすることにより、マスク本体１０が顔５１の目周りに対して適度にフィットするようにできる。
【００７２】
また、本実施形態の場合も、ミシン目４３は固定部３３の近傍に配置されているので、マスク本体１０の横幅方向に延びる軸線Ｘ５（図５参照）を略水平に維持しつつ、各耳掛け用開口３２の長手軸Ｘ３、Ｘ４が耳掛け部３０の先端に向けて下り傾斜するようにできる。
【００７３】
本実施形態によれば、その他についても、第１実施形態と同様の効果が得られる。
【００７４】
〔第３実施形態〕
次に、図１３を用いて第３実施形態を説明する。
本実施形態に係る温熱具１００は、以下に説明する点で、上記の第１実施形態に係る温熱具１００と相違しており、その他の点では第１実施形態に係る温熱具１００と同様に構成されている。
【００７５】
本実施形態の場合、マスク本体１０の中央部には上側スリット１４が形成されておらず、代わりに、ミシン目４３が形成されている。
すなわち、易破断部（ミシン目４３）は、マスク本体１０の横幅方向における中央部に配置されている。
ミシン目４３の長さは、特に限定されないが、下側スリット１５よりも長いことが好ましい。
【００７６】
本実施形態の場合、マスク本体１０の中央のミシン目４３を破断することにより、マスク本体１０の中央に切れ込みを形成することができる。温熱具１００の着用時には、マスク本体１０が左右に引っ張られることにより、この切れ込みが楔形（Ｖ字形）に開くとともに、左右の耳掛け用開口３２の長手軸Ｘ３、Ｘ４がそれぞれ耳掛け部３０の先端に向けて下り傾斜するようにできる。
【００７７】
本実施形態の場合、例えば、図１３に示すように、一対の耳掛け部３０を展開して温熱具１００の全体を平坦にした状態において、耳掛け用開口３２の長手軸Ｘ３、Ｘ４が、それぞれ耳掛け部３０の先端側に向けて下り傾斜している。
これにより、耳掛け部３０を耳に掛けやすくなっているとともに、マスク本体１０が顔にフィットしやすくなっている。
【００７８】
なお、本実施形態の場合、温熱具１００は、第１実施形態で説明したミシン目４１を有していてもよいし、ミシン目４１は有していなくてもよい。
また、温熱具１００は、第２実施形態で説明したミシン目４３を有していてもよいし、有していなくてもよい。
【００７９】
〔第４実施形態〕
次に、図１４を用いて第４実施形態に係る温熱具１００について説明する。
本実施形態に係る温熱具１００は、以下に説明する点で、上記の第１実施形態に係る温熱具１００と相違しており、その他の点では第１実施形態に係る温熱具１００と同様に構成されている。
【００８０】
本実施形態の場合、マスク本体１０の左目覆い部１０ａ及び右目覆い部１０ｂの各々の上縁部には、当該マスク本体１０の上縁から下方に延びる１つ又は複数のミシン目４３（易破断部）が形成されている。
これらミシン目４３のいずれかを所望の深さだけ破断することによって、温熱具１００の上部の横幅方向への伸展性を調節することができるようになっている。
【００８１】
なお、本実施形態の場合、温熱具１００は、ミシン目４１を有していなくてもよいし、有していてもよい。また、温熱具１００は、第２実施形態及び第３実施形態で説明したミシン目４３の一方又は両方を有していてもよいし、有していなくてもよい。
【００８２】
本発明は上記の実施形態に限定されるものではなく、本発明の目的が達成される限りにおける種々の変形、改良等の態様も含む。
【００８３】
易破断部は、ミシン目以外であってもよい。
そのような構造の一例としては、次に説明する構造が挙げられる。
例えば、マスク本体１０は、第１シート１１、第２シート１２と、紙などの破断容易な第３シートと、の３層のシートの積層構造であり、第３シートが第１シート１１と第２シート１２とにより挟持されている。
第１シート１１及び第２シート１２にスリットが形成された位置において、第３シートにはスリットが形成されておらず、第１シート１１及び第２シート１２のスリットに沿って第３シートを容易に破断できるようになっている。
【００８４】
また、発熱体２０は、蒸気を放出しない発熱性のものであってもよい。したがって、温熱具１００は、蒸気温熱具ではなく、単なる温熱具であってもよい。
【００８５】
また、上記の各実施形態は、本発明の主旨を逸脱しない範囲で、適宜に組み合わせることができる。
【００８６】
上記実施形態は、以下の技術思想を包含する。
＜１＞両目を覆うマスク本体と、前記マスク本体に設けられた発熱体と、前記マスク本体の横幅方向における両端部に対して各々の一端部が固定されていて耳に掛けられる一対の耳掛け部と、を備える温熱具であって、
当該温熱具の上縁から内向きに延びている易破断部を備えている温熱具。
＜２＞前記易破断部は、前記マスク本体に対する前記耳掛け部の固定部の近傍に配置されている＜１＞に記載の温熱具。
＜３＞前記易破断部は、前記耳掛け部に形成されている＜２＞に記載の温熱具。
＜４＞前記易破断部は、前記マスク本体に形成されている＜２＞又は＜３＞に記載の温熱具。
＜５＞前記易破断部は、前記マスク本体と前記耳掛け部との固定部に配置されている＜２＞から＜４＞のいずれか一項に記載の温熱具。
＜６＞前記易破断部は、前記マスク本体の横幅方向における中央部に配置されている＜１＞から＜５＞のいずれか一項に記載の温熱具。
＜７＞前記一対の耳掛け部の各々は、当該耳掛け部を耳に掛けるための耳掛け用開口を有し、
前記耳掛け用開口は、前記耳掛け部の横幅方向において、前記マスク本体に対する前記耳掛け部の固定部から遠ざかる方向に下り傾斜している＜１＞から＜６＞のいずれか一項に記載の温熱具。
＜８＞前記マスク本体に対する前記耳掛け部の固定部は、前記マスク本体の上下方向における中央位置よりも下方にずれて配置されている＜１＞から＜７＞のいずれか一項に記載の温熱具。
＜９＞前記マスク本体に対する前記一対の耳掛け部の固定部は、それぞれ上下に延在しているとともに、互いに平行に延在している＜１＞から＜８＞のいずれか一項に記載の温熱具。
【符号の説明】
【００８７】
１０  マスク本体
１０ａ  左目覆い部
１０ｂ  右目覆い部
１１  第１シート
１２  第２シート
１３  接合部
１４  上側スリット
１５  下側スリット
１８  収容空間
２０  発熱体
２１  第１被覆シート
２２  第２被覆シート
２３  発熱部
２４  接合部
３０  耳掛け部
３１  耳掛け部構成シート
３２  耳掛け用開口
３３  固定部
３４  第１耳掛け用スリット
３５  第２耳掛け用スリット
３６  分離可能部
４１  ミシン目（易破断部）
４２  第２ミシン目
４３  ミシン目（易破断部）
５１  顔
５２  目
５３  鼻
５４  耳
１００  温熱具
【図１】
2018108197.tif 000003
【図２】
2018108197.tif 000004
【図３】
2018108197.tif 000005
【図４】
2018108197.tif 000006
【図５】
2018108197.tif 000007
【図６】
2018108197.tif 000008
【図７】
2018108197.tif 000009
【図８】
2018108197.tif 000010
【図９】
2018108197.tif 000011
【図１０】
2018108197.tif 000012
【図１１】
2018108197.tif 000013
【図１２】
2018108197.tif 000014
【図１３】
2018108197.tif 000015
【図１４】
2018108197.tif 000016